(57)【要約】【課題】異なる調整処理を実行可能な画像形成装置を提供する。【解決手段】画像形成装置は、シートに画像を形成するプリンタ制御部６０６と、シートへの画像の形成位置を調整するための複数の調整条件を格納するストレージ６１５と、ＣＰＵ６０７とを備える。ＣＰＵ６０７は、複数の調整条件から１つを選択し、選択した調整条件に基いて画像の形成位置を調整して、プリンタ制御部６０６にシートへ画像を形成させる。【選択図】図６
2018146962.tif 000002
【特許請求の範囲】
【請求項１】
シートに画像を形成する画像形成手段と、
前記画像形成手段によって前記シートにテスト画像を形成し、前記シートに形成された前記テスト画像に関する読取データを取得し、前記画像形成手段が画像を形成可能である所定の画像形成領域を前記読取データに基づいて制御する制御手段と、を有し、
前記制御手段は、前記所定の画像形成領域を第１領域に調整する第１調整処理と、前記所定の画像形成領域を第２領域に調整する第２調整処理とを実行し、
前記第１領域の形状は矩形であり、
前記第２領域の形状は前記テスト画像が形成された前記シートの形状の相似形であることを特徴とする画像形成装置。
【請求項２】
ユーザ指示情報を受信する受信手段をさらに有し、
前記制御手段は、前記第１調整処理と前記第２調整処理とを含む複数の調整処理のなかから、前記ユーザ指示情報に基づいて調整処理を選択することを特徴とする請求項１に記載の画像形成装置。
【請求項３】
前記制御手段は、画像データに画像処理を実行する画像処理部をさらに有し、
前記制御手段は、前記ユーザ指示情報に基づいて前記第１調整処理又は前記第２調整処理が選択されなかった場合、前記画像処理部によって他の画像処理条件に基づき前記画像データに画像処理を実行することを特徴とする請求項２に記載の画像形成装置。
【請求項４】
前記制御手段は、画像データに画像処理を実行する画像処理部をさらに有し、
前記制御手段は、前記第１調整処理が実行される場合、前記画像処理部によって第１画像処理条件に基づき前記画像データに画像処理を実行し、
前記制御手段は、前記第２調整処理が実行される場合、前記画像処理部によって第２画像処理条件に基づき前記画像データに画像処理を実行することを特徴とする請求項２に記載の画像形成装置。
【請求項５】
前記テスト画像が形成された前記シートが載置される原稿台を有し、当該原稿台に載置された前記シート上のテスト画像を読み取る第１読取手段と、
前記テスト画像が形成されたシートを搬送しながら当該搬送されたシート上のテスト画像を読み取る第２読取手段と、をさらに有し、
前記制御手段は、前記第１読取手段によって前記テスト画像を読み取る場合、前記第１画像処理条件を生成し、
前記制御手段は、前記第２読取手段によって前記テスト画像を読み取る場合、前記第２画像処理条件を生成することを特徴とする請求項４に記載の画像形成装置。
【請求項６】
複数の画像処理条件を記憶する記憶手段と、
前記第１画像処理条件が前記記憶手段に記憶されていない場合に前記第１画像処理条件が記憶されていないことを通知し、前記第２画像処理条件が前記記憶手段に記憶されていない場合に前記第２画像処理条件が記憶されていないことを通知する通知手段と、をさらに有することを特徴とする請求項４又は５に記載の画像形成装置。
【請求項７】
複数の画像処理条件を記憶する記憶手段と、
前記選択された調整処理に対応する画像処理条件が前記記憶手段に記憶されていない場合、前記選択された調整処理が実行されないことを通知する通知手段と、をさらに有することを特徴とする請求項３乃至５のいずれか一項に記載の画像形成装置。
【請求項８】
複数の画像処理条件を記憶する記憶手段と、
表示手段と、をさらに有し、
前記制御手段は、前記選択された調整処理に対応する画像処理条件が前記記憶手段に記憶されていない場合、前記選択された調整処理に対応する画像処理条件を生成するか否かを選択するための画面を前記表示手段に表示することを特徴とする請求項５に記載の画像形成装置。
【請求項９】
前記制御手段は、前記選択された調整処理に対応する画像処理条件を生成するか否かを選択するための前記画面が前記表示手段に表示された後、前記選択された調整処理に対応する画像処理条件を生成するためのユーザ指示が入力された場合に、前記画像形成手段によって前記シートに前記テスト画像を形成することを特徴とする請求項８に記載の画像形成装置。
【請求項１０】
複数の画像処理条件を記憶する記憶手段と、
表示手段と、をさらに有し、
前記制御手段は、前記選択された調整処理に対応する画像処理条件が前記記憶手段に記憶されていない場合、前記選択された調整処理と異なる調整処理を実行するか否かを選択するための画面を前記表示手段に表示することを特徴とする請求項５に記載の画像形成装置。
【発明の詳細な説明】
【技術分野】
【０００１】
本発明は、画像を形成可能である画像形成領域（印字位置）の調整技術に関する。
【背景技術】
【０００２】
近年の画像形成装置は、シートに形成されるべき画像の位置や形状の高精度化が求められている。しかしながら、シートを搬送する搬送部材の摩耗、環境（温度、湿度）の変化、シートの水分含有量の変化が原因で、シートに形成されるべき画像のサイズが変動したり、画像が回転したり、又は画像に歪みを生じてしまう。シートに形成されるべき画像の位置が理想的な位置と異なっている状態では、罫線が予め印刷されたプレプリント紙に形成された文字画像が罫線に重なってしまう。また、シートに形成されるべき画像の形状が所定形状と異なっている状態では、シートのオモテ面に形成された画像とシートのウラ面に形成された画像とにズレが生じてしまう。さらに、見開きページに形成された画像のつなぎ目において画像のズレが顕在化してしまう。
【０００３】
そこで、画像形成装置は、シートに形成されるべき画像の位置や形状を補正するため、画像を形成可能である画像形成領域を調整する機能を有する。例えば、特許文献１に記載の画像形成装置は、原稿を読み取るスキャナを備え、シートに形成された基準画像をスキャナによって読み取った結果に基づき画像形成領域を調整する。また、例えば、特許文献２に記載の画像形成装置は、シートを搬送する搬送経路に読取センサを備え、パターン画像をセンサによって読み取った結果に基づき画像形成領域を調整する。
【先行技術文献】
【特許文献】
【０００４】
【特許文献１】特開２００３−１７３１０９号公報
【特許文献２】特開２００５−２２１５８２号公報
【発明の概要】
【発明が解決しようとする課題】
【０００５】
しかしながら、成果物によっては適切に画像形成領域が調整できない可能性があった。成果物が断裁される場合、画像形成装置は、画像形成領域を矩形形状に補正する必要がある。また、成果物が全面印刷物である場合、画像形成装置は、画像が形成されたシートの余白が所定幅となるように画像形成領域を補正する必要がある。しかしながら、成果物によっては適切に印字位置を調整できない可能性があった
【０００６】
そこで、本発明の目的は、異なる調整処理を実行可能な画像形成装置を提供することにある。
【課題を解決するための手段】
【０００７】
本発明の画像形成装置は、シートに画像を形成する画像形成手段と、前記画像形成手段によって前記シートにテスト画像を形成し、前記シートに形成された前記テスト画像に関する読取データを取得し、前記画像形成手段が画像を形成可能である所定の画像形成領域を前記読取データに基づいて制御する制御手段と、を有し、前記制御手段は、前記所定の画像形成領域を第１領域に調整する第１調整処理と、前記所定の画像形成領域を第２領域に調整する第２調整処理とを実行し、前記第１領域の形状は矩形であり、前記第２領域の形状は前記テスト画像が形成された前記シートの形状の相似形であることを特徴とする。
【発明の効果】
【０００８】
本発明によれば、異なる調整処理を実行することができる。
【図面の簡単な説明】
【０００９】
【図１】印刷システムの全体構成図。
【図２】画像形成装置の構成図。
【図３】プリンタの説明図。
【図４】スタッカの構成図。
【図５】読取装置の構成図。
【図６】画像形成装置の制御システムのハードウェア構成図。
【図７】情報処理装置の制御システムのハードウェア構成図。
【図８】印刷システムの機能構成図。
【図９】ジョブ管理アプリケーション画面の例示図。
【図１０】印刷設定画面の例示図。
【図１１】用紙ライブラリの操作を行うためのインタフェース画面の例示図。
【図１２】用紙ライブラリの説明図。
【図１３】調整用チャートの説明図。
【図１４】印字位置調整方法の指示を行う指示画面の例示図。
【図１５】印字位置ずれ量の導出処理の説明図。
【図１６】（ａ）〜（ｃ）は、印字位置調整後の画像の説明図。
【図１７】印字位置ずれ量の算出処理を表すフローチャート。
【図１８】印字位置調整処理を含む画像形成処理を表すフローチャート。
【図１９】警告画面の例示図。
【図２０】印字位置調整処理を含む画像形成処理を表すフローチャート。
【図２１】印字位置調整処理を含む画像形成処理を表すフローチャート。
【図２２】印字位置調整処理を含む画像形成処理を表すフローチャート。
【図２３】警告画面の説明図。
【発明を実施するための形態】
【００１０】
以下、図面を参照して、実施の形態を詳細に説明する。
【００１１】
（印刷システムの構成）
図１は、本実施形態の画像形成装置を有する印刷システムの全体構成図である。印刷システム１は、画像形成装置１０１及び情報処理装置１０２を備える。画像形成装置１０１と情報処理装置１０２とは、ネットワーク１０３を介して通信可能に接続される。情報処理装置１０２は例えばサーバである。情報処理装置１０２は、ジョブ管理、及びＲＩＰ（Raster Image Processor）処理や面付け等の処理を行い、印刷ジョブを画像形成装置１０１に送信する。
【００１２】
図２は、画像形成装置１０１の構成図である。画像形成装置１０１は、シートフィーダ２０１、プリンタ２０２、スタッカ２０３、及び読取装置２０４（センシングデバイス）を備える。
【００１３】
シートフィーダ２０１は、大量のシートを収容可能である(例えば３０００枚）。シートフィーダ２０１は、シートをプリンタ２０２に給送する。プリンタ２０２は、印刷ジョブに応じた画像をシートに形成することで印刷を行う。プリンタ２０２は、シートが、シートフィーダ２０１から給送される他に、付属のシートカセットからも給送される。プリンタ２０２は、シートフィーダ２０１を用いることで大量枚数の印刷を中断することなく行うことができる。スタッカ２０３は、プリンタ２０２でシートに画像が形成されることで生成される印刷物を、印刷ジョブで指示される形態で、大量に溜めることが可能な排出装置である。スタッカ２０３は、主に、シートフィーダ２０１を用いた大量印刷を行う際に用いられる。読取装置２０４は、プリンタ２０２から排出される印刷物から、画像形成領域（印字位置）の調整のために印刷された後述の調整用チャートを読み取る。調整用チャートは印字位置ずれを検知するために用いられる。読取結果（読取データ）は、後述の印字位置調整に利用される。
【００１４】
図３は、プリンタ２０２の説明図である。プリンタ２０２は、ＡＤＦ（Auto Document
Feeder）３０１、スキャナ３０２、及び操作パネル３２３を備える。なお、プリンタ２０２は、ＡＤＦ３０１、スキャナ３０２、及び操作パネル３２３を有する構成ではなくてもよい。
【００１５】
ＡＤＦ３０１は、原稿トレイに載置される原稿束から原稿を１枚ずつスキャナ３０２の読取位置まで搬送する。スキャナ３０２は、ＡＤＦ３０１により搬送されてきた原稿から原稿画像を読み取り、原稿画像データ（原稿画像に対応する画像データ）を生成する。また、スキャナ３０２は、原稿台３００に載置された原稿から原稿画像を読み取り、原稿画像データを生成する。
【００１６】
プリンタ２０２は、トナー像が形成される感光ドラム３０４、感光ドラム３０４に形成されるトナー像をシートに転写する中間転写体である転写ドラム３０５、及びトナー像をシートに定着させる定着器３０８を備える。
【００１７】
感光ドラム３０４は、ドラム形状の感光体であり、帯電器、露光器３０３、及び現像器により、表面にトナー像が形成される。感光ドラム３０４は、図中時計回りに回転する。感光ドラム３０４は、帯電器により表面が一様に帯電された後に、露光器３０３によりレーザ光が照射されることで、表面に静電潜像が形成される。露光器３０３は、画像データに応じて変調したレーザ光を感光ドラム３０４に照射することで、画像データに応じた静電潜像を感光ドラム３０４に形成する。現像器は、感光ドラム３０４に形成された静電潜像にトナーを付着させて現像することで、感光ドラム３０４の表面にトナー像を形成する。現像器は、イエロー（Ｙ）、マゼンタ（Ｍ）、シアン（Ｃ）、ブラック（Ｋ）の色毎に設けられる。
【００１８】
転写ドラム３０５は、シートを把持したまま感光ドラム３０４とは逆方向に回転する。転写ドラム３０５に把持されたシートは、転写ドラム３０５が１回転する度に１色のトナー像が転写される。感光ドラム３０４の帯電からトナー像の転写までの一連の画像形成プロセスが４回繰り返されことで、フルカラーのトナー像がシート上に形成される。トナー像が形成されたシートは、分離爪３０６により転写ドラム３０５から剥がされ、搬送路３０７を介して定着器３０８に搬送される。
【００１９】
定着器３０８は、ローラ及びベルトを組み合わせて構成されており、ハロゲンヒータ等の熱源を内蔵する。定着器３０８は、トナー像が転写されたシートを加熱及び加圧することで、トナー像をシートに定着させる。定着器３０８から排出されたシートは、フラッパ３０９へ搬送される。フラッパ３０９は、揺動軸を中心に揺動可能に構成され、揺動する方向によりシートの搬送方向を切り替える。フラッパ３０９によりシートがローラ３１０へ搬送された場合、シートは、ローラ３１０により機外に出力される。
【００２０】
プリンタ２０２は、画像形成処理に用いるシートを収容するシートカセット３１７、シートカセット３１８、シートトレイ３２０、搬送経路、及び両面搬送部を備える。
【００２１】
シートの給送は、シートカセット３１７、３１８、シートトレイ３２０、及びシートフィーダ２０１により行われる。シートカセット３１７、３１８、シートフィーダ２０１は、各種のシートサイズ且つ各種のマテリアルのシートを、それぞれに収納可能である。シートトレイ３２０は、ＯＨＰシート等の特殊なシートを含む各種のシートを積載可能に構成される。搬送経路には、給送されたシートを搬送する各種ローラが設けられる。
【００２２】
シートカセット３１７、３１８、シートフィーダ２０１、及びシートトレイ３２０には、それぞれにローラ３２１が設けられる。ローラ３２１は、１枚ずつシートを給送する。シートカセット３１７に収容されたシートは、ピックアップローラによって順次繰り出される共に、ローラ３２１に対向して設けられる分離ローラによって重送が防止される。これによって、シートが１枚ずつ搬送経路へと送り出される。分離ローラには、搬送方向とは逆方向に回転させる駆動力が、トルクリミッタ（図示しない）を介して供給される。分離ローラは、ローラ３２１との間に形成されるニップ部にシートが１枚だけ進入しているときに、シートに従動して搬送方向に回転する。重送が発生している場合、分離ローラは、搬送方向とは逆方向に回転することにより重送したシートを引き戻す。これにより、最上部の１枚のシートだけが給送されるようになっている。
【００２３】
給送されたシートは、複数の搬送ローラによってレジストレーションローラ３１６へ搬送される。このときレジストレーションローラ３１６は停止している。レジストレーションローラは１対のローラから構成される。シートの先端がレジストレーションローラ３１６のニップ部に突き当たることでシートの斜行が補正される。レジストレーションローラ３１６は、感光ドラム３０４上にトナー像が形成されるタイミングに合わせて回転を開始し、シートの搬送を再開する。レジストレーションローラ３１６により搬送されたシートは、吸着ローラ３２２によって転写ドラム３０５の表面に静電気的に吸着される。
【００２４】
両面搬送部は、両面印刷を行う際に、第１面（オモテ面）への画像形成が終了したシートが搬送される搬送経路である。定着器３０８でトナー像が定着されたシートは、フラッパ３０９によって両面搬送部へ搬送される。両面搬送部は、フラッパ３１１、ローラ３１２、反転ガイド３１３、及び両面トレイ３１４を備える。フラッパ３１１は、揺動軸を中心に揺動可能に構成され、シートの搬送方向を切り替える。両面印刷の場合、オモテ面に画像形成が形成されたシートが、フラッパ３１１によって反転ガイド３１３へ搬送される。シートの後端がフラッパ３１１を通過した後、反転ガイド３１３に設けられたローラ（不図示）は一旦停止する。その後、フラッパ３１１は、シートの搬送先を両面トレイ３１４へ変更するために図中時計回りに揺動する。次いで、ローラ３１２が逆方向に回転する。これにより、該シートがスイッチバック搬送される。該シートは、後端と先端が入れ替わった状態で両面トレイ３１４へ搬送される。
【００２５】
両面トレイ３１４は、シートを一旦載置する。両面トレイ３１４に載置されたシートは、ローラ３１５によって、再度レジストレーションローラ３１６へ搬送される。このときシートは、第１面（オモテ面）とは反対の第２面（ウラ面）が感光ドラム３０４に対向する側になる。その後、シートのウラ面は、オモテ面と同様のプロセスで画像が形成される。両面に画像が形成されたシートは、ローラ３１０により機外へ排出される。
【００２６】
操作パネル３２３は、各種操作ボタン、テンキー、ＬＣＤ（Liquid Crystal Display）等の表示装置、タッチパネル等を備えるユーザインタフェースである。オペレータは、操作パネル３２３によりプリンタ２０２にコマンドや印刷設定を入力することができる。操作パネル３２３は、表示装置により設定画面やジョブの状態の表示を行う。
【００２７】
プリンタ２０２は、ネットワーク１０３を介した通信のためのネットワークコネクタ３２４を備える。ネットワークコネクタ３２４は、通信インタフェースに応じた形状である。
【００２８】
シートフィーダ２０１、シートカセット３１７、３１８、及びシートトレイ３２０は、シートを支持する支持部材である。複数の支持部材の中のいずれの支持部材からシートが給送されるかに応じて、片面印刷において画像が形成されるべき面が決まる。同様に、複数の支持部材の中のいずれの支持部材からシートが給送されるかに応じて、両面印刷において第１画像が形成されるオモテ面（第１面）が決まる。シートカセット３１７、３１８に収容されるシートは、印刷面（オモテ面）が下向きに載置される。シートフィーダ２０１及びシートトレイ３２０に収容されたシートは、印刷面（オモテ面）が上向きに載置される。ノーカーボン紙のように表裏に注意する必要のあるシートを給送する場合、ユーザは、印刷面に注意してシートを載置する必要がある。
【００２９】
図４は、スタッカ２０３の構成図である。スタッカ２０３は、搬送経路として、ストレートパス４０１、エスケープパス４０２、及びスタックパス４０３を備える。各搬送経路には、シートの搬送状況やジャムを検出するためのセンサが複数設けられる。
【００３０】
ストレートパス４０１は、プリンタ２０２から排出されたシートを図示していない後段の装置（後処理装置）へ搬送するための搬送経路である。エスケープパス４０２は、プリンタ２０２から排出されたシートをエスケープトレイ４０４へ出力するための搬送経路である。例えば、印刷物の確認作業（確認プリント）等を行う場合に、エスケープトレイ４０４に確認プリント用のシートが出力される。スタックパス４０３は、プリンタ２０２から排出されたシートをスタックトレイ４０５に搬送するための搬送経路である。例えば、印刷ジョブが印刷物の積載処理を要求する場合、プリント後のシート（印刷物）は、スタックトレイ４０５に積載される。
【００３１】
スタックトレイ４０５は、伸縮可能なステイ４０６の上に載置される積載ユニットである。スタックトレイ４０５とステイ４０６との結合部には、ショックアブソーバ等が設けられる。ステイ４０６は、台車４０７上に設けられる。台車４０７は、不図示の取っ手を取り付けることにより、スタックトレイ４０５上に積載されたシートを別のオフラインフィニッシャ等に運べるようになっている。なお、スタッカ２０３の前ドアが閉まっている場合、ステイ４０６は、スタックトレイ４０５を、シートが積載されやすい位置に上昇させる。前ドアが開けられる場合、ステイ４０６は、スタックトレイ４０５を、シートが取り出しやすいように下降させる。
【００３２】
このようにスタッカ２０３は、大量の印刷物をスタックトレイ４０５に積載したり、確認プリント等の少量の印刷物をエスケープトレイ４０４に排出することができる。
【００３３】
図５は、読取装置２０４の構成図である。読取装置２０４は、読取コントローラ５０１、シート検出センサ５０２、及びラインセンサ５０３を備える。読取装置２０４は、プリンタ２０２で画像形成された印字位置調整用のテスト画像（以下、「調整用チャート」という。）を搬送路５０４に沿って搬送しながら読み取る。調整用チャートの詳細は後述する。
【００３４】
シート検出センサ５０２は、搬送路５０４を矢印方向に搬送されるシートを検出する。搬送路５０４は、黒の搬送ベルトで構成される。調整用チャートは白色のシートに形成される。シート検出センサ５０２は、シートの搬送方向に対して先頭エッジを検出する。黒い搬送ベルト上を白のシートが搬送されることで、シートの検出精度が向上する。
【００３５】
シート検出センサ５０２は、シートの搬送方向に対して直交する方向に複数設けられる。各シート検出センサ５０２は、シートの先頭エッジを検出して、読取コントローラ５０１に先頭エッジの検出を通知する。読取コントローラ５０１は、各シート検出センサ５０２からの通知のタイミング及びシートの搬送速度に基づいて、シートの斜行量を導出する。また、読取コントローラ５０１は、各シート検出センサ５０２からの通知をトリガーにしてラインセンサ５０３を制御し、シートに形成された画像（調整用チャート）を読み取る。ラインセンサ５０３はシートの両面を一度に読み取るために、搬送路５０４を挟んで２つ設けられる。読取コントローラ５０１は、シートの斜行角度及びラインセンサ５０３で読み取った画像を表す画像データを、プリンタ２０２の動作を制御する後述の制御システムに送信する。
【００３６】
（画像形成装置１０１の制御システム）
図６は、画像形成装置１０１の制御システムのハードウェア構成図である。制御システムは、ＣＰＵ（Central Processing Unit）６０７、ＲＯＭ（Read  Only Memory）６０９、及びＲＡＭ（Random  Access Memory）６１０を備える。ＣＰＵ６０７は、ＲＯＭ６０９に格納されたプログラムを、ＲＡＭ６１０を作業領域に用いて実行することで画像形成装置１０１の動作を制御する。ＣＰＵ６０７には、ＡＤＦ制御部６０３、スキャナ制御部６０４、画像処理部６０５、プリンタ制御部６０６、読取装置制御部６０８、操作パネル制御部６１１、及びスタッカ制御部６１２が接続される。これらの各部は、画像形成装置１０１の各部の動作を制御するための構成である。また、ＣＰＵ６０７には、ストレージインタフェース（Ｉ／Ｆ）６１３及びネットワークインタフェース（Ｉ／Ｆ）６１４が接続される。制御システムは、例えばＭＰＵ（Micro-Processing Unit）やＡＳＩＣ（Application Specific Integrated Circuit）、ＳｏＣ（System-on-a-Chip）等により実現可能である。
【００３７】
ＡＤＦ制御部６０３は、ＡＤＦ３０１の動作を制御する。ＡＤＦ制御部６０３は、ＡＤＦ３０１によって原稿をスキャナ３０２の読取位置に搬送する。スキャナ制御部６０４は、スキャナ３０２の動作を制御する。スキャナ制御部６０４は、スキャナ３０２によって原稿画像を読み取り、原稿画像データを画像処理部６０５に送信する。また、調整用チャートがスキャナ３０２によって読み取られた場合、スキャナ制御部６０４は調整用チャートに関する読取データをＣＰＵ６０７へ転送する。スキャナ３０２によって原稿が読み取られた場合、画像処理部６０５は、スキャナ制御部６０４から取得した原稿画像データに所定の画像処理条件に基づいて画像処理を行ってプリンタ制御部６０６へ送信する。また、ネットワーク１０３を介して情報処理装置１０２から画像データが転送された場合、画像処理部６０５は転送された画像データに画像処理を行い、プリンタ制御部６０６へ当該画像データを送信する。プリンタ制御部６０６は、画像処理部６０５から取得した画像データに基づき、プリンタ２０２によって画像をシートに印刷する。
【００３８】
読取装置制御部６０８は、ＣＰＵ６０７の指示に基づいて、読取装置２０４の動作を制御する。読取装置２０４は、後述する印字位置調整において、シート検出センサ５０２及びラインセンサ５０３を用いてシートのエッジ検出及び調整用チャートの読み取りを行う。読取装置２０４は、調整用チャートに関する読取データを、読取装置制御部６０８を介してＣＰＵ６０７に送信する。なお、画像形成装置１００は前述の読取装置２０４によって調整用チャートを読み取るモードと、スキャナ３０２によって調整用チャートを読み取るモードとを実行可能である。
【００３９】
操作パネル制御部６１１は、操作パネル３２３とＣＰＵ６０７とのインタフェース制御を行う。操作パネル制御部６１１は、操作パネル３２３から入力されたデータをＣＰＵ６０７に送信する。また、操作パネル制御部６１１は、ＣＰＵ６０７の指示に基づいて、操作パネル３２３に設定画面等の画像を表示する。
【００４０】
スタッカ制御部６１２は、スタッカ２０３の動作を制御する。スタッカ２０３は、スタッカ制御部６１２の指示に基づいて、プリンタ２０２から出力されたシートを、指示された出力先（エスケープトレイ４０４、スタックトレイ４０５）に出力する。
【００４１】
ストレージＩ／Ｆ６１３は、ＨＤＤ（Hard Disk drive）やＳＳＤ（Solid State drive）等の大容量のストレージ６１５に接続される。ストレージＩ／Ｆ６１３は、ストレージ６１５とＣＰＵ６０７とのインタフェース制御を行う。ＣＰＵ６０７は、ストレージＩ／Ｆ６１３を介して、ストレージ６１５にデータを書き込み、また、ストレージ６１５からデータを読み出す。ネットワークＩ／Ｆ６１４は、ネットワーク１０３を介した外部装置（情報処理装置１０２）との通信制御を行うインタフェースである。プリンタ２０２は、ネットワークＩ／Ｆ６１４により情報処理装置１０２との通信を行う。
【００４２】
（情報処理装置１０２の制御システム）
図７は、情報処理装置１０２の制御システムのハードウェア構成図である。情報処理装置１０２の制御システムは、ＣＰＵ７０１、ＲＯＭ７０７、及びＲＡＭ７０８を備えるコンピュータシステムである。ＣＰＵ７０１は、ＲＯＭ７０７に格納されたプログラムを、ＲＡＭ７０８を作業領域として実行することで、情報処理装置１０２の各種処理を実行する。ＣＰＵ７０１、ＲＯＭ７０７、及びＲＡＭ７０８は、バス７１３により通信可能に接続される。
【００４３】
バス７１３には、表示装置７０２に接続されるＶＲＡＭ（Video Random Access Memory）７０３と、キーボード７０４及びポインティングデバイス（ＰＤ）７０５が接続される。表示装置７０２、キーボード７０４、及びＰＤ７０５は、ユーザインタフェースである。ＶＲＡＭ７０３は、ＣＰＵ７０１により、表示装置７０２に表示するための画像が描画される。ＶＲＡＭ７０３に描画された画像は、所定のフォーマットに変換されて表示装置７０２に送信され、表示される。表示装置７０２には、例えばウィンドウ、アイコン、メッセージ、メニューその他のユーザインタフェース情報が表示される。キーボード７０４は、文字入力を行うための各種キーを備える。キーボード７０４は、キー入力の結果をＣＰＵ７０１に送信する。ＰＤ７０５は、表示装置７０２の表示画面に表示されるアイコンやメニュー等のオブジェクトの指示に用いられる。ＰＤ７０５は例えばマウスである。ＰＤ７０５は、指示結果をＣＰＵ７０１に送信する。
【００４４】
バス７１３には、メディアドライブ７０６、ストレージ７０９、及び外部記憶装置に接続される外部記憶インタフェース（Ｉ／Ｆ）７１０が接続される。メディアドライブ７０６は、ＣＤ（Compact Disk）やＤＶＤ等のメディアから各種制御プログラムやデータを読み出し、また書き込む装置である。ＣＰＵ７０１は、メディアドライブ７０６によりメディアにアクセス可能となる。ストレージ７０９は、情報処理装置１０２に内蔵されるＨＤＤやＳＳＤ等の内部記憶装置であり、各種制御プログラムやデータを格納する。ＣＰＵ７０１は、ストレージ７０９に格納されたコンピュータプログラムを実行することができる。外部記憶Ｉ／Ｆ７１０は、ＵＳＢ（Universal Serial Bus）メモリ等の外部記憶装置からのデータの読み出し及びデータの書き込みを行うためのインタフェースである。ＣＰＵ７０１は、外部記憶Ｉ／Ｆ７１０によりメディアにアクセス可能となる。
【００４５】
バス７１３には、ネットワークインタフェース（Ｉ／Ｆ）７１１が接続される。ネットワークＩ／Ｆ７１１は、ネットワーク１０３を介した外部装置との通信制御を行うインタフェースである。情報処理装置１０２は、ネットワークＩ／Ｆ６１４により画像形成装置１０１との通信を行う。
【００４６】
ＣＰＵ７０１は、起動後にストレージ７０９やメディアに格納された制御プログラムを実行することにより、情報処理装置１０２に各種の機能を実現する。例えば、情報処理装置１０２は、画像データをＲＩＰ処理して画像形成装置１０１へ送信する機能を実現する。
【００４７】
（印刷システム１の機能構成）
図８は、印刷システム１の機能構成図である。図８では、情報処理装置１０２が画像形成装置１０１に画像形成を行わせるための機能について説明する。
【００４８】
画像形成装置１０１は、ＣＰＵ６０７がコンピュータプログラムを実行することで、ＵＩ（User Interface）処理部８０１、機器制御部８０２、受信処理部８０３、及びネットワーク制御部８０４として機能する。
【００４９】
ＵＩ処理部８０１は、操作パネル３２３による入力を受け付ける。またＵＩ処理部８０１は、操作パネル３２３に画像を表示させる。例えば、画像形成装置１０１の動作を設定する場合、ＵＩ処理部８０１は、操作パネル制御部６１１により、操作パネル３２３に設定画面を表示させる。ＵＩ処理部８０１は、操作パネル３２３により入力された設定値をストレージＩ／Ｆ６１３によりストレージ６１５に保存する。
【００５０】
機器制御部８０２は、画像形成装置１０１による画像形成処理（印刷）、機器情報設定管理等の処理を行う。受信処理部８０３は、例えば情報処理装置１０２からネットワーク制御部８０４を介して受信したＲＩＰ処理後の画像データを、ページ単位で機器制御部８０２に入力する。ネットワーク制御部８０４は、ネットワークＩ／Ｆ６１４により、ネットワーク１０３を介した情報処理装置１０２との通信を行う。
【００５１】
情報処理装置１０２は、ＣＰＵ７０１が制御プログラムを実行することで、ＵＩ処理部８０５、ジョブ制御部８０６、送信処理部８０７、ネットワーク制御部８０８、及びＲＩＰ処理部８０９として機能する。
【００５２】
ＵＩ処理部８０５は、表示装置７０２に画像を表示させるとともに、キーボード７０４及びＰＤ７０５による入力を受け付ける。ＵＩ処理部８０５は、例えば後述のジョブ管理アプリケーション画面を表示し、ジョブ管理アプリケーション画面によるジョブ設定を受け付けてジョブ制御部８０６に入力する。
【００５３】
ジョブ制御部８０６は、画像形成装置１０１に実行させる印刷ジョブの生成等の処理を行う。送信処理部８０７は、ＲＩＰ処理部８０９でＲＩＰ処理された画像データを、ページ単位で、ネットワーク制御部８０８を介して画像形成装置１０１に送信する。ネットワーク制御部８０８は、ネットワークＩ／Ｆ７１１により、ネットワーク１０３を介した画像形成装置１０１との通信を行う。
【００５４】
情報処理装置１０２でＲＩＰ処理された画像データを画像形成装置１０１で印刷する場合は以下のような処理になる。
【００５５】
情報処理装置１０２のジョブ制御部８０６は、ＲＩＰ処理部８０９により画像データをレンダリングし、ＲＩＰ処理された画像データを送信処理部８０７により画像形成装置１０１へ送信する。また、ジョブ制御部８０６は、ネットワーク制御部８０８によりジョブ設定情報を画像形成装置１０１へ送信する。ジョブ設定情報は、例えば印刷ジョブに関する各種の設定を含む情報である。
【００５６】
画像形成装置１０１の機器制御部８０２は、受信処理部８０３により取得したＲＩＰ処理された画像データを画像処理部６０５に入力する。また、機器制御部８０２は、ネットワーク制御部８０４によりジョブ設定情報を受信する。機器制御部８０２は、ジョブ設定情報に基づいて、プリンタ制御部６０６に出力先や給送元、及び印字位置の調子条件に関する指示を行う。また、機器制御部８０２は、画像処理部６０５に画像データをプリンタ制御部６０６へ送信させるように指示を行う。この際に機器制御部８０２は、操作パネル３２３から確認プリント要求が入力された場合に備えて、画像データをストレージ６１５に一時保存する。機器制御部８０２は、ジョブ完了等の画像データを保存する必要がなくなった時点でストレージ６１５から該画像データを削除する。
【００５７】
（ジョブ管理アプリケーション）
図９は、情報処理装置１０２の表示装置７０２に表示されるジョブ管理アプリケーション画面の例示図である。ジョブ管理アプリケーション画面は、名称バー９０１、終了ボタン９０２、アクティブウィンドウ９０３、及びジョブ履歴ウィンドウ９０４を含む。
【００５８】
名称バー９０１は、ジョブ管理アプリケーションの名称を表示する。終了ボタン９０２は、ジョブ管理アプリケーションを終了する際に押下される。終了ボタン９０２の押下によりジョブ管理アプリケーションが終了して、ジョブ管理アプリケーション画面が閉じられる。
【００５９】
アクティブウィンドウ９０３は、情報処理装置１０２が保持する印刷ジョブを一覧表示する表示領域である。ここでは、アクティブウィンドウ９０３は、「契約.pdf」の名称の印刷ジョブが情報処理装置１０２に保持されていることを表示する。アクティブウィンドウ９０３に表示されるジョブに関連して、「印刷」及び「印刷設定」を実行するためのプロパティ９０５が表示できる。「印刷」が選択される場合、印刷ジョブの印刷が行われる。「印刷設定」が選択される場合、印刷設定の変更が可能になる。
【００６０】
ジョブ履歴ウィンドウ９０４は、処理が完了した印刷ジョブの履歴を表示する表示領域である。ここでは、「見積もり.pdf」の名称の印刷ジョブが、印刷の完了した印刷ジョブのジョブ履歴としてジョブ履歴ウィンドウ９０４に表示される。なお、ジョブ履歴ウィンドウ９０４に表示される印刷ジョブは、アクティブウィンドウ９０３に表示される印刷ジョブとは異なり、印刷設定の変更や印刷の実行が不可である。
【００６１】
図１０は、アクティブウィンドウ９０３でジョブの「印刷設定」が選択された場合に、情報処理装置１０２の表示装置７０２に表示される印刷設定画面の例示図である。印刷設定画面は、タグ１００１、「ＯＫ」ボタン１００６、及び「キャンセル」ボタン１００７を含む。情報処理装置１０２は、この印刷設定画面への設定内容に応じてジョブ設定情報を生成する。
【００６２】
タグ１００１は、「一般」、「ジョブ情報」、「用紙」、「レイアウト」、「仕上げ」の５種類により構成される。選択されたタグ１００１の種類に応じた設定項目が表示される。ここでは「用紙」タグの設定項目が表示される。「用紙」タグは、画像が印刷されるシートに関する設定を行うための設定項目を表示する。例えば「用紙」タグでは、印刷ジョブに用いられるシートの種類、サイズ、トレイ（給送元）、印字位置調整方法の選択が可能である。
【００６３】
「用紙種類」メニュー１００２は、印刷ジョブに用いるシートの種類を設定するためのプルダウンメニューである。例えば、「用紙種類」メニュー１００２では、「自動選択」、「普通紙」等が設定可能である。「用紙トレイ」メニュー１００３は、印刷ジョブに用いるシートの給送元を設定するためのプルダウンメニューである。例えば、「用紙トレイ」メニュー１００３では、「自動選択」、「カセット１」、「手差し」等が設定可能である。「用紙トレイ」メニュー１００３で設定された給送元から給送されるシートが、印刷ジョブにより画像形成される。「用紙サイズ」メニュー１００４は、印刷ジョブに用いるシートのサイズを設定するためのプルダウンメニューである。例えば、「用紙サイズ」メニュー１００４では、「Ａ３」、「Ａ４」、「Ｂ４」、「Ｂ５」、「ＬＴＲ」等が設定可能である。「用紙の混合」ボタン１００５は、１つの印刷ジョブで複数の用紙種類、用紙サイズ、用紙トレイのシートに画像形成を行う場合に押下される。
【００６４】
「位置調整」メニュー１００８は、印字位置調整方法を選択するためのプルダウンメニューである。プリンタ２０２は、シートへの印字位置を複数の印字位置調整方法により調整することが可能である。本実施形態では、プリンタ２０２は、直角性を保つように調整する印字位置調整方法と、余白が均一になるように調整する印字位置調整方法とにより、印字位置を調整することができる。以下の説明において、直角性を保つように調整する調整方法は、プリンタ２０２が画像を形成可能な所定の画像形成領域を、矩形形状の第１領域に調整する第１調整処理と称す。一方、以下の説明において、余白が均一になるように調整する調整方法は、プリンタ２０２が画像を形成可能な所定の画像形成領域を、シートの形状の相似形である第２領域に調整する第２調整処理と称す。「位置調整」メニュー１００８では、これらの印字位置調整方法の他に、印字位置調整を行わない「調整無し」が選択可能である。
【００６５】
「ＯＫ」ボタン１００６は、印刷設定画面で設定した内容を反映するためのボタンである。「キャンセル」ボタン１００７は、印刷設定画面で設定した内容を破棄するためのボタンである。「ＯＫ」ボタン１００６又は「キャンセル」ボタン１００７の押下により、印刷設定画面が閉じられる。
【００６６】
（印字位置調整）
印字位置調整は、シートの第１面に形成されるべき画像の印字位置とシートの第２面に形成されるべき画像の印字位置との各々を、理想の印字位置に調整する。これによって、シートの第１面に形成されるべき画像の印字位置とシートの第２面に形成されるべき画像の印字位置とのズレが補正される。
【００６７】
図１１は、本実施形態の印刷システム１において、用紙ライブラリへの編集等の操作を行うためのインタフェース画面の例示図である。用紙ライブラリは、画像形成装置１０１で印刷に使用可能なシートを管理するためのデータベースである。用紙ライブラリは、画像形成装置１０１のストレージ６１５に格納され、適宜、読み出し、更新等が行われる。用紙ライブラリの詳細は後述する。
【００６８】
用紙ライブラリの操作を行うためのインタフェース画面１１００は、プリンタ２０２の操作パネル３２３に表示される。インタフェース画面１１００は、用紙リスト１１０１、「新規追加」ボタン１１１１、「編集」ボタン１１１２、「削除」ボタン１１１３、「印字位置調整」ボタン１１１４を含む。
【００６９】
用紙リスト１１０１は、用紙ライブラリで管理されるシートのリストを表示する。用紙リスト１１０１は、各シートの種類に応じて、列１１０２〜１１０７に示すような用紙属性を有する。列１１０２は、シートの名称を表す。シートの名称は、各シートが互いに識別できるように表される。列１１０３、１１０４は、シートのサイズを表す。列１１０３はシートの幅を表し、列１１０４はシートの長さを表す。列１１０５はシートの坪量を表す。列１１０６は、シートの表面性を表す。表面性とは、シート表面の物理特性を表し、例えば光沢性を上げるためにシートの表面にコート処理が施されていることを示す「コート」や、シートの表面に凹凸が形成されていることを示す「エンボス」等である。列１１０７は、シート自体の色を表す。
【００７０】
用紙リスト１１０１は、操作パネル３２３上のタッチ操作等により、シートの選択が可能となっている。選択されたシートの用紙属性は、ハイライト表示されて選択されたことを明示する。図１１では、「ＸＹＺ製紙カラー８１」が選択される場合が例示される。なお、用紙ライブラリで管理するシート数が用紙リスト１１０１で一度に表示可能な数よりも多い場合、スクロールバー１１０８の操作により、用紙属性の表示及び選択が可能となる。
【００７１】
「新規追加」ボタン１１１１は、用紙ライブラリに新規のシートを追加するためのボタンである。「編集」ボタン１１１２は、用紙リスト１１０１で選択されたシートの用紙属性を編集するためのボタンである。「削除」ボタン１１１３は、用紙リスト１１０１で選択されたシートを用紙ライブラリから削除するためのボタンである。「印字位置調整」ボタン１１１４は、用紙リスト１１０１で選択されたシートに対する印字位置調整を行うためのボタンである。
【００７２】
図１２は、用紙ライブラリの説明図である。用紙ライブラリは、例えばＸＭＬ（Extensible Markup Language）やＣＳＶ（Comma-Separated Values）等のファイル形式で画像形成装置１０１のストレージ６１５に格納される。用紙ライブラリは、シートの種類毎の用紙属性や印字位置ずれ量を含む。
【００７３】
行１２０１〜１２０５は、用紙ライブラリに登録されたシート毎の用紙属性を表す。列１２１１〜１２２１は、用紙属性の各項目を表す。各項目は、インタフェース画面から、操作パネル３２３により入力される。列１２１１は、シートの名称を表す。列１２１２〜１２１５は、シートの物理的特性を表す。列１２１２は、シートの幅を表す。列１２１３は、シートの長さを表す。列１２１４は、シートの坪量を表す。列１２１５は、シートの表面性を表す。列１２１６は、シート自体の色を表す。列１２１７は、印字位置ずれ量の算出に必要なシートの枚数（ｎ枚）を表す。ｎ枚のシートに後述の調整用チャートが形成され、その測定結果に応じて印字位置ずれ量が導出される。
【００７４】
列１２１８、１２１９は、それぞれシートのオモテ面及びウラ面における、スキャナ３０２を用いて調整する場合の印字位置ずれ量を表す。列１２２０、１２２１は、それぞれシートのオモテ面及びウラ面における、読取装置２０４を用いて調整する場合の印字位置ずれ量を表す。印字位置ずれ量は、理想の印字位置からの位置ずれ量を表す。本実施形態では、印字位置ずれ量が、直角補正量、台形補正量、斜行補正量、リード位置、サイド位置、主走査倍率、及び副走査倍率で表される。なお、読取装置２０４を用いて調整する場合、直角補正量は印字位置ずれ量に含まれない。印字位置ずれ量は、シートに対する画像の位置を理想的な印字位置に調整するための調整量に相当する。さらに、印字位置ずれ量は、プリンタ２０２が画像を形成可能な画像形成領域を調整するための調整量に相当する。実際の印刷時に画像形成装置１０１は、印字位置ずれ量に基づいて、画像が理想の印字位置に形成されるよう印字位置調整を行う。つまり、画像形成装置１０１は、印字位置ずれ量を打ち消すように調整して画像形成を行う。例えば、画像処理部６０５が印字位置ずれ量に基づき画像データにアフィン変換を実施することによって、シートに形成されるべき画像の印字位置が理想的な印字位置へ補正される。また、これによって、所定の画像形成領域も調整されるので、画像のサイズ、画像の回転、及び画像の歪みが補正される。
【００７５】
直角補正量は、シートに対する副走査方向と主走査方向の印字向きの直角度のずれ量を表す。ここで、主走査方向とは、露光器３０３のレーザ光が感光ドラム３０４の表面を走査する方向である。副走査方向とは主走査方向に直交する方向である。なお、副走査方向はプリンタ２０２においてシートが搬送される方向（シートの搬送方向）に相当する。例えば、直角補正量は、副走査方向に印字された直線に対して理想的な垂線を算出し、その理想垂線と主走査方向に印字された直線とのずれ量で表される。台形補正量は、シートの伸縮のずれ量を表す。例えば、台形補正量は、シートに対する印字開始位置から副走査方向に副走査後端まで印字された直線と、シートの主走査後端の位置から副走査方向に副走査後端まで印字された直線とのずれ量で表される。リード位置及びサイド位置は、それぞれシートに対する副走査方向・主走査方向の印字位置ずれ量を表す。リード位置は、シートの搬送方向先頭の端部を起点とした画像の印字開始位置を変更することで調整される。サイド位置は、シートの搬送方向左側の端部を起点とした画像の印字開始位置を変更することで調整される。具体的には、感光ドラム３０４へ照射するレーザ光の照射開始タイミングを調整することで、リード位置及びサイド位置が調整される。副走査方向倍率は、副走査方向の画像長のずれ（理想の長さに対する倍率）を表す。副走査方向倍率は、転写ドラム３０５の回転速度を制御することで調整される。主走査方向倍率は、主走査方向の画像長のずれ（理想の長さに対する倍率）を表す。
【００７６】
印字位置ずれ量は、所定のマークが配置された調整用チャート（位置測定用画像）をシートに印刷し、この調整用チャート上のマークの位置を検出することで導出される。印字位置ずれ量の初期値は各項目「０」である。用紙ライブラリにシートが新規登録された場合や、シートが登録されていても印字位置調整が行われていない場合には、初期値が印字位置ずれ量として用いられる。
【００７７】
図１３は、調整用チャートの説明図である。調整用チャートは、印字位置調整の開始後に、ＣＰＵ６０７の指示によってシートに印刷される。シートのオモテ面１３００及びウラ面１３０１には、同じ調整用チャートが印刷される。図１４は、印字位置調整方法の指示を行う指示画面の例示図である。ユーザは、操作パネル３２３に表示されたこのような指示画面から指示を入力する。ＣＰＵ６０７は、指示画面からの指示に応じて、ユーザ指示情報を取得して調整用チャートの印刷の指示を行う。「スキャナを用いて補正」ボタン１４０１及び「読取装置を用いて補正」ボタン１４０２のいずれかが押下された場合に調整用チャートが印刷される。「キャンセル」ボタン１４０３が押下された場合に印字位置調整処理がキャンセルされる。
【００７８】
画像１３１０は、オモテ面１３００に印字される矢印及び文字である。画像１３１０は、調整用チャートが印字されたシートの搬送方向及び表裏の識別に用いられる。画像１３１１は、ウラ面１３０１に印字される矢印及び文字である。画像１３１１は、調整用チャートが印字されたシートの搬送方向及び表裏の識別に用いられる。画像１３１０、１３１１は、調整用チャートをスキャナ３０２に読み取らせる場合に、オペレータが方向を間違えないように印字される。なお、画像１３１０、１３１１は、印字位置ずれ量の導出に直接関係するものではないために印字されなくてもよい。
【００７９】
マーク１３２０は、調整用チャートの特定の位置に印刷される画像である。マーク１３２０は、シートに対する反射率の差が大きい色のトナーを用いて形成される。本実施形態では、マーク１３２０は、黒のトナーで形成される。本実施形態では、マーク１３２０は、シートのオモテ面１３００及びウラ面１３０１の各々の四隅の合計８カ所に形成される。マーク１３２０は、印字位置が理想通りであれば、シートの端部から所定の距離離れた位置に形成される。マーク１３２０の調整用チャート上の相対位置を測定することで、印字位置ずれ量が導出される。シートの基準辺からマーク１３２０の距離を測定することで、画像形成領域の形状、画像形成領域のサイズ、及びシートの基準辺と画像形成領域との位置関係が検知される。
【００８０】
本実施形態では、読取装置２０４を用いて印字位置調整を行う場合には距離Ｃ〜Ｒが測定され、スキャナ３０２を用いて印字位置調整を行う場合には距離Ａ〜Ｖが測定される。図１３中の距離Ａ〜Ｖが測定される。距離Ａは、調整用チャートの副走査方向の長さである。距離Ｂは、調整用チャートの主走査方向の長さである。距離Ａ、Ｂの理想的な長さは、用紙ライブラリに設定される用紙長である。距離Ｃ〜Ｖは、それぞれマーク１３２０から直近のシートの端部までの長さである。
【００８１】
オモテ面１３００は、チャート中央ライン１３４０により領域１３５１、１３５２の２つの領域に分けられる。ウラ面１３０１は、チャート中央ライン１３４１により領域１３５３、１３５４の２つの領域に分けられる。調整用チャートは、オモテ面１３００及びウラ面１３０１が、スキャナ３０２により、それぞれ領域１３５１、１３５２、１３５３、１３５４に分けて読み取られる。三角マーク１３３１〜１３３４は、スキャナ３０２を用いて印字位置調整を行う場合の読み取り順及びスキャナ３０２に載置する位置の目印を表す。オペレータは、三角マークの個数に応じた順でスキャナ３０２に調整用チャートを読み取らせる。ここでは、調整用チャートが、領域１３５２、領域１３５１、領域１３５４、領域１３５３の順に読み取られる。調整用チャートは、各領域１３５１〜１３５４に分けて読み取られた後に、読取結果が合成される。このように領域毎に分けて読み取ることで、スキャナ３０２は、調整用チャートが原稿台３００に乗りきらないサイズであっても、調整用チャートを読み取ることが可能となる。
【００８２】
測定された距離Ａ〜Ｖに基づいて印字位置ずれ量を導出する処理について説明する。図１５は、印字位置ずれ量の導出処理の説明図である。
【００８３】
印字位置ずれ量は、オモテ面に対する項目及びウラ面に対する項目により表される。オモテ面の項目には、リード位置１５０１、サイド位置１５０２、主走査倍率１５０３、副走査倍率１５０４、直角補正量１５０５、及び台形補正量１５０６がある。ウラ面の項目には、リード位置１５０７、サイド位置１５０８、主走査倍率１５０９、副走査倍率１５１０、直角補正量１５１１、及び台形補正量１５１２がある。オモテ面及びウラ面において、同じ項目については、同様の計算式で測定値１５２０及び印字位置ずれ量１５２２が算出され、同じ理想値１５２１が設定される。
【００８４】
各項目の測定値１５２０は、図１３で説明した距離Ａ〜Ｖの実測値から、項目毎に設定された計算式を用いて算出される。リード位置１５０１、１５０７の測定値１５２０は、シートの搬送方向先頭の端部から、対応するマーク１３２０までの距離Ｃ、Ｅ（Ｋ、Ｍ）の平均値となる。サイド位置１５０２、１５０８の測定値１５２０は、シートの搬送方向に対して左側の端部から、対応するマーク１３２０までの距離Ｆ、Ｊ（Ｎ、Ｒ）の平均値となる。主走査倍率１５０３、１５０９の測定値１５２０は、主走査方向に同一線上に並ぶマーク１３２０間の距離の平均値となる。副走査倍率１５０４、１５１０の測定値１５２０は、副走査方向に同一線上に並ぶマーク１３２０間の距離の平均値となる。直角補正量１５０５、１５１１の測定値１５２０は、読取先端側に主走査方向に同一走査線上に並ぶマーク１３２０を結んだ直線の垂線に対する、読取後端側のマーク１３２０の副走査方向のずれ量Ｓ、Ｔ（Ｕ、Ｖ）の平均値となる。台形補正量１５０６、１５１２、の測定値１５２０は、副走査方向に同一走査線上に並ぶマーク１３２０間の距離の差分となる。
【００８５】
各項目の理想値１５２１は、シートの端部から１［ｃｍ］離れた位置に形成されたマーク１３２０に基づいて得られる値である。リード位置１５０１、１５０７及びサイド位置１５０２、１５０８の理想値１５２１は、１［ｃｍ］となる。主走査倍率１５０３、１５０９の理想値１５２１は、用紙ライブラリに登録された当該シートの長さから２［ｃｍ］減算した値となる。副走査倍率１５０４、１５１０の理想値１５２１は、用紙ライブラリに登録された当該シートの幅から２［ｃｍ］減算した値となる。直角補正量１５０５、１５１１及び台形補正量１５０６、１５１２の理想値１５２１は、０［ｃｍ］となる。
【００８６】
各項目の印字位置ずれ量１５２２は、対応する測定値１５２０及び理想値１５２１から、項目毎に設定された計算式を用いて算出される。リード位置１５０１、１５０７及びサイド位置１５０２、１５０８の印字位置ずれ量１５２２は、測定値１５２０から理想値１５２１を減算することで算出される（単位はｍｍ）。主走査倍率１５０３、１５０９及び副走査倍率１５０４、１５１０の印字位置ずれ量１５２２は、測定値１５２０から理想値１５２１を減算した値を理想値で除算することで算出される（単位は％）。直角補正量１５０５、１５１１及び台形補正量１５０６、１５１２の印字位置ずれ量１５２２は、測定値１５２０がそのまま用いられる。算出された各項目の印字位置ずれ量１５２２は、図１２に示す用紙ライブラリの列１２１８〜１２２１で管理される。
【００８７】
スキャナ３０２を用いる場合、スキャナ３０２が読み取った調整用チャートにより距離Ａ〜Ｖを測定可能である。そのために、すべての項目の印字位置ずれ量１５２２が算出可能である。読取装置２０４を用いる場合、読取装置２０４が読み取った調整用チャートにより距離Ｃ〜Ｒを測定可能である。そのために、直角補正量１５０５、１５１１を除いた項目の印字位置ずれ量１５２２が算出可能である。読取装置２０４は、シートを搬送しながら調整用チャートを読み取る。ここで読取装置２０４は、シートの搬送速度が一定でない等の理由で、印字位置調整に必要な精度が十分でない可能性がある。そのために読取装置２０４は、スキャナ３０２よりも読み取れる距離の項目が少なくなる。
【００８８】
図１６は、印字位置調整処理の説明図である。図１６は、シート１６０１、１６０３、１６０５に対する画像形成領域１６０２、１６０４、１６０６を表す。ここでは、シート１６０１、１６９２、１６０３の形状は、シートの伸縮により矩形ではなくなっている。画像形成領域１６０２、１６０４、１６０６は、画像を形成可能な領域である。図１６（ａ）は、印字位置調整を行わない場合の画像形成領域１６０６を表す。印字位置調整が行われない場合、画像形成領域１６０６の直角性は保たれない。また、画像形成領域１６０６の四辺とシート１６０５のエッジとの距離（余白）が不均一である。図１６（ｂ）は、第１調整処理が実行された場合の画像を表す。第１調整処理においては直角補正量１５０５、１５１１の印字位置ずれ量１５２２も用いられる。図１６（ｃ）は、第２調整処理が実行された場合の画像を表す。第２調整処理においては直角補正量１５０５、１５１１の印字位置ずれ量１５２２を用いない。なお、図１６（ａ）、図１６（ｂ）、図１６（ｃ）では、両者の違いが分かりやすいように定着器３０８の熱によるシートの歪みを極端な形で表現している。
【００８９】
図１６（ｂ）に示すように、直角補正量１５０５、１５１１の印字位置ずれ量１５２２が印字位置調整の項目に含まれる場合、画像形成領域１６０２の直角性を保つように、表裏の印字位置が調整される。しかしながら、画像形成領域１６０２の四辺とシート１６０１のエッジとの距離（余白幅）は不均一である。なお、画像形成領域１６０２の形状は、理想的な寸法の矩形となる。これは、スキャナ３０２を用いて調整用チャートを原稿台３００に載置して読み取った結果に基づき印字位置調整を行う場合である。
【００９０】
図１６（ｃ）に示すように、直角補正量１５０５、１５１１の印字位置ずれ量１５２２が印字位置調整の項目に含まれない場合、余白の均一性が保たれるように、表裏の印字位置が調整される。つまり、画像形成領域１６０４の四辺とシート１６０３のエッジとの距離（余白幅）は所定値で均一である。しかしながら、画像形成領域１６０４の直角性は保たれない。画像形成領域１６０４の形状は、テスト画像が形成されたシート１６０３の形状の相似形となる。これは、読取装置２０４を用いて印字位置調整を行う場合である。
【００９１】
読取装置２０４を用いて調整用チャートから距離を算出する場合、読取装置２０４は、まず、ラインセンサ５０３の読取位置を通過するシートをスキャンして調整用チャートを読み取る。調整用チャートの読取データは、ＣＰＵ６０７に送信される。ＣＰＵ６０７は、調整用チャートの濃度差から、シートの端部及びマーク１３２０のエッジ（シートの下地とマーク１３２０との境界）を検出する。ＣＰＵ６０７は、検出したシートの端部及びマーク１３２０のエッジから、距離Ｃ〜Ｒを算出する。
【００９２】
スキャナ３０２を用いて調整用チャートから距離を算出する場合、スキャナ３０２は、原稿台３００に載置された調整用チャートを、オモテ面、ウラ面それぞれ２回ずつに分けて読み取る。読み取りは、オペレータの指示に応じて、三角マーク１３３１〜１３３４の順に行われる。調整用チャートの読取結果（読取データ）は、ＣＰＵ６０７に送信される。ＣＰＵ６０７は、領域１２５１と領域１３５２との読取結果を合成して、オモテ面の調整用チャートを生成する。ＣＰＵ６０７は、領域１２５３と領域１３５４との読取結果を合成して、ウラ面の調整用チャートを生成する。ＣＰＵ６０７は、合成結果により、調整用チャートの濃度差から、シートの端部及びマーク１３２０のエッジを検出する。ＣＰＵ６０７は、検出したシートの端部及びマーク１３２０のエッジから、距離Ａ〜Ｖを算出する。
【００９３】
図１７は、印字位置ずれ量の算出処理を表すフローチャートである。本実施形態では、オペレータが操作パネル３２３に表示される図１１のインタフェース画面からシートを１つ選択して「印字位置調整」ボタン１１１４を押下することで、操作パネル３２３に図１４の指示画面が表示される。オペレータが指示画面から印字位置の調整方法を選択することで、操作パネル制御部６１１はユーザ指示情報を受信する。これによりＣＰＵ６０７は、印字位置ずれ量の算出処理を開始する。ここでは、読取装置２０４を用いて印字位置ずれ量を算出する。そのために「読取装置を用いて補正」ボタン１４０２が選択されて、印字位置ずれ量の算出処理が開始される。なお、特定のトリガーにより自動的に印字位置ずれ量の算出処理が開始されてもよい。
【００９４】
ＣＰＵ６０７は、オペレータに選択されたシートの印字位置ずれ量の算出に必要なシートの枚数（ｎ枚）を用紙ライブラリから取得する（Ｓ１７０１）。ＣＰＵ６０７は、印字位置の調整処理が入力された場合に、用紙ライブラリにより、当該シートの印字位置調整を行う際の調整用チャートが印刷されるシートの枚数を自動的に取得する。なお、ＣＰＵ６０７は、毎回オペレータに調整用チャートが印刷されるシートの枚数を入力させるように操作パネル３２３の表示制御を行ってもよい。
【００９５】
プリンタ２０２は、オペレータに選択されたシートの両面に対し、図１３に例示するマーク１３２０が配置された調整用チャートを印字して機外に出力する（Ｓ１７０２）。出力されたシートは、読取装置２０４へ搬送される。ＣＰＵ６０７は、調整用チャートが印字されたシートの両面の画像を読取装置２０４にスキャンさせる。読取装置２０４は、２つのラインセンサ５０３により、シートの両面の調整用チャートを一度に読み取る。ＣＰＵ６０７は、読取装置２０４から調整用チャートの読取データを取得する（Ｓ１７０３）。
【００９６】
ＣＰＵ６０７は、調整用チャートの読取データに基づいて、シートの端部及びマーク１３２０の位置を抽出し、図１３に示す距離Ｃ〜Ｒを取得する。ＣＰＵ６０７は、取得した距離Ｃ〜Ｒにより、図１５の計算式に基づいて印字位置ずれ量を算出する（Ｓ１７０４）。ＣＰＵ６０７は、算出した印字位置ずれ量をストレージ６１５に格納する。
【００９７】
ＣＰＵ６０７は、位置ずれ量の算出を、Ｓ１７０１の処理で取得した枚数分（ｎ枚分）行ったかを判断する（Ｓ１７０５）。位置ずれ量の算出がｎ枚分行われていない場合（Ｓ１７０５：N）、ＣＰＵ６０７は、位置ずれ量の算出をｎ枚分行うまで、Ｓ１７０２〜Ｓ１７０４の処理を繰り返し行う。
【００９８】
位置ずれ量の算出がｎ枚分行われた場合（Ｓ１７０５：Y）、ＣＰＵ６０７は、ストレージ６１５に格納した位置ずれ量の平均値を算出する（Ｓ１７０６）。ＣＰＵ６０７は、算出した平均値を、図１１のインタフェース画面から選択されたシートの印字位置ずれ量として、用紙ライブラリに保存する（Ｓ１７０７）。Ｓ１７０７の処理においてＣＰＵ６０７は、ストレージ６１５に格納される用紙ライブラリの印字位置ずれ量の情報を更新する。以上のようにして決定された印字位置ずれ量に基づいて、ＣＰＵ６０７は、同じ種類のシートへの画像形成時に、画像の形成位置（印字位置）を調整する。
【００９９】
スキャナ３０２を用いて印字位置ずれ量を算出する場合、「スキャナを用いて補正」ボタン１４０１が選択されて、印字位置ずれ量の算出処理が開始される。スキャナ３０２を用いるために、読取装置２０４のように自動的に調整用チャートの読み取りは行われず、オペレータが読取操作を行うことになる。処理自体は、読取装置２０４を用いる場合と同様であるが、ＣＰＵ６０７は、調整用チャートの読取データに基づいて、図１３に示す距離Ａ〜Ｖを取得する。ＣＰＵ６０７は、取得した距離Ａ〜Ｖにより、図１５の計算式に基づいて印字位置ずれ量を算出する。ＣＰＵ６０７は、算出した印字位置ずれ量をストレージ６１５に格納する。
【０１００】
図１７の処理で算出された印字位置ずれ量は、印字位置調整処理の際に画像の形成位置を調整するための補正量となる。プリンタ２０２は、印字位置の調整条件として印字位置ずれ量（補正量）を用いる。プリンタ２０２は、用紙ライブラリの該当する印字位置ずれ量に応じた印字位置調整処理を行う。図１２の用紙ライブラリでは、列１２１８〜１２２１が、それぞれ印字位置の調整条件となる。プリンタ２０２は、これら複数の調整条件から適切に選択して、印字位置調整処理を行うことになる。以下に、印字位置調整処理を含む画像形成処理を４例説明する。
【０１０１】
（画像形成処理１）
図１８は、印字位置調整処理を含む画像形成処理を表すフローチャートである。この処理は、オペレータが図１０の印刷設定画面により印刷設定を行い、「ＯＫ」ボタン１００６を押下することで開始される。これにより情報処理装置１０２から画像形成装置１０１へ印刷ジョブのジョブ設定情報を含む画像形成処理の指示が送信される。
【０１０２】
画像形成装置１０１のＣＰＵ６０７は、画像形成処理が指示されると、ジョブ設定情報に応じて、「位置調整」メニュー１００８で設定された印字位置調整方法を判断する（Ｓ１８０１）。上記の通り、「位置調整」メニュー１００８は、第１調整処理と、第２調整処理と、印字位置調整を行わない「調整無し」と、のいずれかが選択可能である。「調整無し」が選択された場合（Ｓ１８０１：なし）、ＣＰＵ６０７は、印字位置調整処理を行わずに通常の印刷を行う（Ｓ１８１２）。
【０１０３】
第１調整処理が選択された場合（Ｓ１８０１：直角性を保つ）、ＣＰＵ６０７は、第１調整処理用の補正値の有無を判断する（Ｓ１８０２）。ＣＰＵ６０７は、図１２の用紙ライブラリを参照し、印刷に用いるシートの種類に対応する第１調整処理用の補正値が列１２１８、１２１９に設定されているか否かによりこの判断を行う。第１調整処理用の補正値が設定されている場合（Ｓ１８０２：あり）、ＣＰＵ６０７は、用紙ライブラリの列１２１８、１２１９に設定されている補正値に基づいて印字位置を調整して印刷を行う（Ｓ１８０４）。
【０１０４】
第１調整処理用の補正値が設定されていない場合（Ｓ１８０２：なし）、ＣＰＵ６０７は、操作パネル３２３に、第１調整処理用の補正値が登録されていないことをユーザへ通知するための警告画面を表示する（Ｓ１８０５）。図１９は、警告画面の例示図である。警告画面には、印刷ジョブを中止するためのボタン１９０１、第１調整処理用の補正値を登録してから印刷を実行する調整後印刷ボタン１９０２、第２調整処理用の補正値を用いて印刷するボタン１９０３が表示される。調整後印刷ボタン１９０２は、スキャナ３０２を用いて第１調整処理用の補正値を取得し、当該取得された補正値を用いて印刷を実行することを指示するためのボタンである。なお、ボタン１９０３は、第２調整処理用の補正値がある場合に選択可能であるが、第２調整処理用の補正値がない場合にグレーアウト等で選択できないようになっている。ＣＰＵ６０７は、オペレータが警告画面からどのボタンを選択したかを判断する（Ｓ１８０６）。ボタン１９０１が選択された場合（Ｓ１８０６：キャンセル）、ＣＰＵ６０７は、印刷ジョブを中止して処理を終了する。
【０１０５】
調整後印刷ボタン１９０２が選択された場合（Ｓ１８０６：補正する）、ＣＰＵ６０７は、スキャナ３０２を用いた印字位置調整を行う（Ｓ１８０７）。スキャナ３０２を用いた印字位置調整は、上記した図１４の指示画面の「スキャナを用いて補正」ボタン１４０１が選択されたときの処理と同様である。印字位置調整後にＣＰＵ６０７は、用紙ライブラリの列１２１８、１２１９に設定された補正値に基づいて印字位置を調整して印刷を行う（Ｓ１８０４）。
【０１０６】
ボタン１９０３が選択された場合（Ｓ１８０６：余白均一）、ＣＰＵ６０７は、用紙ライブラリの列１２２０、１２２１に設定されている補正値に基づいて印字位置を調整して印刷を行う（Ｓ１８０８）。
【０１０７】
「位置調整」メニュー１００８により第２調整処理が選択された場合（Ｓ１８０１：余白均一）、ＣＰＵ６０７は、第２調整処理用の補正値の有無を判断する（Ｓ１８０３）。ＣＰＵ６０７は、図１２の用紙ライブラリを参照し、印刷に用いるシートの種類に対応する第２調整処理用の補正値が列１２２０、１２２１に設定されているか否かによりこの判断を行う。第２調整処理用の補正値が設定されている場合（Ｓ１８０３：あり）、ＣＰＵ６０７は、用紙ライブラリの列１２２０、１２２１に設定されている補正値に基づいて印字位置を調整して印刷を行う（Ｓ１８０８）。
【０１０８】
第２調整処理用の補正値が設定されていない場合（Ｓ１８０３：なし）、ＣＰＵ６０７は、操作パネル３２３に、第２調整処理用の補正値が登録されていないことをユーザへ通知するための警告画面を表示する（Ｓ１８０９）。この警告画面は、図１９の「直角性を保つ」が「余白均一」に変更され、ボタン１９０３が「第１調整処理用の補正値を用いて印刷」に変更された画面である。ＣＰＵ６０７は、オペレータが警告画面からどのボタンを選択したかを判断する（Ｓ１８１０）。ボタン１９０１が選択された場合（Ｓ１８１０：キャンセル）、ＣＰＵ６０７は、印刷ジョブを中止して処理を終了する。
【０１０９】
調整後印刷ボタン１９０２が選択された場合（Ｓ１８１０：補正する）、ＣＰＵ６０７は、読取装置２０４を用いた印字位置調整を行う（Ｓ１８１１）。読取装置２０４を用いた印字位置調整は、上記した図１４の指示画面の「読取装置を用いて補正」ボタン１４０２が選択されたときの処理と同様である。印字位置調整後にＣＰＵ６０７は、用紙ライブラリの列１２２０、１２２１に設定された補正値に基づいて印字位置を調整して印刷を行う（Ｓ１８０８）。
【０１１０】
ボタン１９０３が選択された場合（Ｓ１８１０：直角性を保つ）、ＣＰＵ６０７は、用紙ライブラリの列１２１８、１２１９に設定されている補正値に基づいて印字位置を調整して印刷を行う（Ｓ１８０４）。
【０１１１】
画像形成処理１によれば、画像形成装置１０１は、複数の印字位置の補正値からオペレータに指示された補正値を用いて印字位置調整を行い、画像形成を行う。そのために、断裁等の後処理に応じて、印刷物に適した印字位置調整が可能となる。
【０１１２】
（画像形成処理２）
警告画面の表示は、表裏の印字位置が合っていればよい場合等には煩わしいことがある。印字位置の補正値の自動選択を可能とすることで、オペレータの警告画面に応じた作業を低減することができる。補正値の自動選択は、例えば図１０の印刷設定画面の「位置調整」メニュー１００８に選択肢として「自動」を追加しておき、オペレータが「自動」を選択したときに行われる。図２０は、このような場合の印字位置調整処理を含む画像形成処理を表すフローチャートである。この処理も、オペレータが図１０の印刷設定画面により印刷設定を行い、「ＯＫ」ボタン１００６を押下することで開始される。
【０１１３】
画像形成装置１０１のＣＰＵ６０７は、画像形成処理が指示されると、ジョブ設定情報により、「位置調整」メニュー１００８で設定された印字位置調整方法を判断する（Ｓ２００１）。第１調整処理、第２調整処理、及び「調整無し」のいずれかが設定される場合の処理（Ｓ２００２〜Ｓ２０１２）は、図１８の処理（Ｓ１８０２〜Ｓ１８１２）と同様である。そのためにこれらの場合の処理の説明を省略する。
【０１１４】
印刷設定に「自動」が設定されている場合（Ｓ２００１：自動）、ＣＰＵ６０７は、印字位置の調整を行うための補正値の有無を判断する（Ｓ２０１３）。ＣＰＵ６０７は、図１２の用紙ライブラリを参照し、印刷に用いるシートの種類に応じて、補正値が列１２１８〜１２２１に設定されているか否かによりこの判断を行う。第１調整処理用の補正値のみがある場合（Ｓ２０１３：直角性を保つ）、ＣＰＵ６０７は、Ｓ２００４の処理を行う。第２調整処理用の補正値のみがある場合（Ｓ２０１３：余白均一）、ＣＰＵ６０７は、Ｓ２００８の処理を行う。補正値がない場合（Ｓ２０１３：なし）、ＣＰＵ６０７は、印字位置調整を行って画像形成処理を行う（Ｓ２０１４）。この場合、ＣＰＵ６０７は、図１４に例示する指示画面を操作パネル３２３に表示して、指示画面による指示に応じて印字位置調整を行う。ＣＰＵ６０７は、印字位置調整により導出した補正値に応じて印字位置を調整して印刷を行う。なお、第１調整処理用の補正値及び第２調整処理用の補正値の両方がある場合、ＣＰＵ６０７は、例えば予め設定された調整処理用の補正値を採用して印刷を行う。
【０１１５】
画像調整処理２によれば、画像形成装置１０１は、複数の印字位置の補正値から印字位置調整の用いる補正値を自動的に決定して、印字位置調整を行い、画像形成を行う。そのために、オペレータは、操作の煩わしさから解放される。
【０１１６】
（画像形成処理３）
後処理で印刷物を裁断する場合、印刷物の直角性を保つ方が好ましい。また、余白が均一である印刷物は見た目がよい。この処理では、このような印刷物の結果を考慮して、補正値が適切に自動選択される。図２１は、このような場合の印字位置調整処理を含む画像形成処理を表すフローチャートである。この処理も、オペレータが図１０の印刷設定画面により印刷設定を行い、「ＯＫ」ボタン１００６を押下することで開始される。
【０１１７】
画像形成装置１０１のＣＰＵ６０７は、画像形成処理が指示されると、ジョブ設定情報により、「位置調整」メニュー１００８で設定された印字位置調整方法を判断する（Ｓ２１０１）。第１調整処理、第２調整処理、及び「調整無し」のいずれかが設定される場合の処理（Ｓ２１０２〜Ｓ２１１２）は、図１８の処理（Ｓ１８０２〜Ｓ１８１２）と同様である。そのためにこれらの場合の処理の説明を省略する。
【０１１８】
印刷設定に「自動」が設定されている場合（Ｓ２１０１：自動）、ＣＰＵ６０７は、印刷設定により、印刷ジョブに含まれるジョブ種類を判断する（Ｓ２１１３）。ＣＰＵ６０７は、ジョブ種類により、印字位置調整処理に用いる補正値を決定することになる。ジョブ種類が例えば裁断ありの場合（Ｓ２１１３：裁断あり）、ＣＰＵ６０７は、Ｓ２１０２以降の処理を行う。ジョブ種類が例えば全面印刷等で余白を均一にする必要がある場合（Ｓ２１１３：余白均一）、ＣＰＵ６０７は、Ｓ２１０３以降の処理を行う。これらの設定は一例であり、ジョブの設定ごとにどちらの補正値を用いて印刷するかを設定できるようにしてもよい。
【０１１９】
画像形成処理３によれば、画像形成装置１０１は、複数の印字位置の補正値から印字位置調整の用いる補正値を印刷ジョブの設定に応じて自動的に決定して、印字位置調整を行い、画像形成を行う。そのために、適切な印字位置の調整が行われる。
【０１２０】
（画像形成処理４）
画像形成処理１、２、及び３の説明では、印字位置調整処理として、第１調整処理及び第２調整処理を例として説明した。印字位置調整処理は、これ以外の複数の印字位置調整処理から選択されてもよい。ＣＰＵ６０７は、複数の印字位置調整処理のなかからユーザ指示情報に基づいて処理を実行することになる。以下では、第１調整処理を第１モード処理と称し、第２調整処理を第２モード処理と称して説明する。図２２は、印字位置調整処理を含む画像形成処理を表すフローチャートである。この処理は、オペレータが図１０の印刷設定画面により印刷設定を行い、「ＯＫ」ボタン１００６を押下することで開始される。これにより情報処理装置１０２から画像形成装置１０１へ印刷ジョブのジョブ設定情報を含む画像形成処理の指示が送信される。なお、図１０の印刷設定画面では、第１モード処理と第２モード処理とのいずれかが選択可能となる。オペレータは、印刷設定画面から第１モード処理と第２モード処理とのいずれかを選択して印刷設定を行うことになる。
【０１２１】
画像形成装置１０１のＣＰＵ６０７は、画像形成処理が指示されると、ジョブ設定情報に応じて、「位置調整」メニュー１００８から第１モード処理が選択されたかを判断する（Ｓ２２０１）。「位置調整」メニュー１００８は、第１モード処理と、第２モード処理と、印字位置調整を行わない「調整無し」と、のいずれかが設定可能である。
【０１２２】
第１モード処理が選択された場合（Ｓ２２０１：Y）、ＣＰＵ６０７は、第１モード処理用の補正値の有無を判断する（Ｓ２２０２）。ＣＰＵ６０７は、図１２の用紙ライブラリを参照し、印刷に用いるシートの種類に応じて、該当する補正値が設定されているか否かによりこの判断を行う。第１モード処理用の補正値がある場合（Ｓ２２０２：Y）、ＣＰＵ６０７は、第１モード処理用の補正値に基づいて印字位置を調整して印刷を行う（Ｓ２２０３）。
【０１２３】
第１モード処理用の補正値がない場合（Ｓ２２０２：Y）、ＣＰＵ６０７は、操作パネル３２３に、第１モード処理用の補正値が設定されていないことを通知するための警告画面を表示する（Ｓ２２０４）。図２３は、このような警告画面の例示図である。警告画面には、印字位置調整を行わずに印刷を行うためのボタン２３０１、印字位置調整を行った後に印刷を行うためのボタン２３０２、別の調整モード（第２モード処理）を用いて印刷するためのボタン２３０３が設けられる。警告画面は、選択されたモードによる処理に対応した補正値（画像処理条件）を選択するための画面である。
【０１２４】
ＣＰＵ６０７は、オペレータが警告画面からどのボタンを選択したかを判断する（Ｓ２２０５）。Ｓ２２０５においてボタン２３０１が選択された場合（Ｓ２２０５：調整せず印刷）、ＣＰＵ６０７は、印字位置の調整を行わずに印刷を行う（Ｓ２２０７）。
Ｓ２２０５においてボタン２３０２が選択された場合（Ｓ２２０５：調整後印刷）、ＣＰＵ６０７は、第１モード処理による印字位置調整を行う（Ｓ２２０６）。第１モード処理による印字位置調整後にＣＰＵ６０７は、第１モード処理用の補正値に基づいて印字位置を調整して印刷を行う（Ｓ２２０３）。
Ｓ２２０５においてボタン２３０３が選択された場合（Ｓ２２０５：別の調整モード）、ＣＰＵ６０７は、第２モード処理が選択された場合の処理を行う。この処理については後述する。
【０１２５】
Ｓ２２０１の処理で第１モード処理が選択されていない場合（Ｓ２２０１：N）、ＣＰＵ６０７は、「位置調整」メニュー１００８から第２モード処理が選択されたかを判断する（Ｓ２２０８）。第２モード処理が選択されていない場合（Ｓ２２０８：N）、ＣＰＵ６０７は、印字位置の調整を行わずに印刷を行う（Ｓ２２０７）。
【０１２６】
第２モード処理が選択された場合（Ｓ２２０８：N）、ＣＰＵ６０７は、第２モード処理の補正値の有無を判断する（Ｓ２２０９）。ＣＰＵ６０７は、図１２の用紙ライブラリを参照し、印刷に用いるシートの種類に応じて、第２モード処理用の補正値が設定されているか否かによりこの判断を行う。なお、Ｓ２２０５の処理でボタン２３０３が選択された場合にも、ＣＰＵ６０７は、Ｓ２２０９の判断処理を行う。第２モード処理用の補正値がある場合（Ｓ２２０９：Y）、ＣＰＵ６０７は、第２モード処理用の補正値に基づいて印字位置を調整して印刷を行う（Ｓ２２１０）。
【０１２７】
第２モード処理用の補正値がない場合（Ｓ２２０９：N）、ＣＰＵ６０７は、操作パネル３２３に、第２モード処理用の補正値が設定されていないことを通知するための警告画面を表示する（Ｓ２２１１）。この警告画面は、図２３と同じ画面である。ＣＰＵ６０７は、オペレータが警告画面からどのボタンを選択したかを判断する（Ｓ２２１２）。
【０１２８】
Ｓ２２１２においてボタン２３０１が選択された場合（Ｓ２２１２：調整せず印刷）、ＣＰＵ６０７は、印字位置の調整を行わずに印刷を行う（Ｓ２２０７）。
Ｓ２２１２においてボタン２３０２が選択された場合（Ｓ２２１２：調整後印刷）、ＣＰＵ６０７は、第２モード処理による印字位置調整を行う（Ｓ２２１３）。第２モード処理による印字位置調整後にＣＰＵ６０７は、第２モード処理用の補正値に基づいて印字位置を調整して印刷を行う（Ｓ２２１０）。
Ｓ２２１２においてボタン２３０３が選択された場合（Ｓ２２１２：別の調整モード）、ＣＰＵ６０７は、第１モード処理が選択された場合のＳ２２０２の処理を行う。
【０１２９】
画像形成処理４によれば、画像形成装置１０１は、複数のモードの補正値からオペレータに指示された補正値を用いて印字位置調整を行い、画像形成を行う。そのために、断裁等の後処理に応じて、印刷物に適した印字位置調整が可能となる。
【図１】
2018146962.tif 000003
【図２】
2018146962.tif 000004
【図３】
2018146962.tif 000005
【図４】
2018146962.tif 000006
【図５】
2018146962.tif 000007
【図６】
2018146962.tif 000008
【図７】
2018146962.tif 000009
【図８】
2018146962.tif 000010
【図９】
2018146962.tif 000011
【図１０】
2018146962.tif 000012
【図１１】
2018146962.tif 000013
【図１２】
2018146962.tif 000014
【図１３】
2018146962.tif 000015
【図１４】
2018146962.tif 000016
【図１５】
2018146962.tif 000017
【図１６】
2018146962.tif 000018
【図１７】
2018146962.tif 000019
【図１８】
2018146962.tif 000020
【図１９】
2018146962.tif 000021
【図２０】
2018146962.tif 000022
【図２１】
2018146962.tif 000023
【図２２】
2018146962.tif 000024
【図２３】
2018146962.tif 000025